(57)【要約】【課題】複数方向出入口エレベータでの行先階登録操作をしやすくする複数方向出入口エレベータの行先階表示システムを提供する。【解決手段】本発明の複数出入口エレベータの行先階表示システムは、エレベータ乗場に設置された、昇降方向と複数の出入口方向とを共に区別する乗場呼び登録ボタン10UP,10DN,11UP,11DNを備えた乗場操作盤１と、乗りかご２内に設置された、行先階と共に出入口方向を指定する行先階登録ボタン3Cを備えたかご操作盤３と、乗場呼び登録ボタンによる乗場呼びに応答して乗りかごが呼び発生階に到着し、ドア開動作したときに、行先階登録ボタンのうち登録候補となる行先階ボタンを点滅させる行先階表示制御手段４とを備えたものである。【選択図】      図１
2007302469.tif 000002
【特許請求の範囲】
【請求項１】
エレベータ乗場に設置された、昇降方向と複数の出入口方向とを共に区別する乗場呼び登録ボタンを備えた乗場操作盤と、
乗りかご内に設置された、行先階と共に出入口方向を指定する行先階登録ボタンを備えたかご操作盤と、
前記乗場呼び登録ボタンによる乗場呼びに応答して乗りかごが呼び発生階に到着し、ドア開動作したときに、前記行先階登録ボタンのうち登録候補となる行先階ボタンを点滅させる行先階表示制御手段とを備えたことを特徴とする複数方向出入口エレベータの行先階表示システム。
【請求項２】
前記行先階表示制御手段は、前記乗場呼び登録ボタンによる乗場呼びに応答して乗りかごが呼び発生階に到着し、ドア開動作したときに、前記行先階登録ボタンのうち登録候補となる行先階ボタンを点滅させる代りに、通常の行先階登録表示のための発光色若しくは発光輝度と異なる発光色若しくは発光輝度にて連続点灯させることを特徴とする請求項１に記載の複数方向出入口エレベータの行先階表示システム。
【請求項３】
前記乗場操作盤は、昇降方向と複数の出入口方向とを共に区別する乗場呼び登録ボタンに代えて、複数の出入口方向それぞれについて昇降方向に指示するトグルスイッチを備えたことを特徴とする請求項１又は２に記載の複数方向出入口エレベータの行先階表示システム。
【請求項４】
前記乗場操作盤は、昇降方向と複数の出入口方向とを共に区別する乗場呼び登録ボタンに代えて、複数の出入口方向それぞれについて昇降方向に指示する波形スイッチを備えたことを特徴とする請求項１又は２に記載の複数方向出入口エレベータの行先階表示システム。
【発明の詳細な説明】
【技術分野】
【０００１】
本発明は、出入口を複数方向に持つ複数方向出入口エレベータの行先階表示システムに関する。
【背景技術】
【０００２】
従来、出入口を複数方向に持つ複数方向出入口エレベータのための行先階登録操作について、図６、図７を用いて説明する。各階のエレベータ乗場に乗場呼び登録操作盤１０１が設置され、エレベータかご１００内にかご操作盤１０２が設置されている。
【０００３】
図６に示した各階のエレベータ乗場の乗場呼び登録操作盤１０１は、昇方向乗場呼び登録ボタン１０１ＵＰ、降方向乗場呼び登録ボタン１０１ＤＮ、そして表面板１０４で構成されている。図７に示したエレベータかご１００内のかご操作盤１０２は、正面出口、背面出口を識別する銘板１０２Ａ，１０２Ｂ、行先階登録ボタン１０２Ｃ、そして表面板１０５で構成されている。
【０００４】
そこで、エレベータ利用者は、ある階からエレベータを利用して目的階に移動しようとする場合、その階のエレベータ乗場で乗場呼び登録操作盤１０１の昇方向乗場呼び登録ボタン１０１ＵＰ若しくは降方向乗場呼び登録ボタン１０１ＤＮを押して乗場呼び登録する。そしてエレベータかご１００が到着してドアが開き、エレベータかご１００に乗り込むと、かご操作盤１０２にて目的階の出入口方向を示す銘板１０２Ａ，１０２Ｂを見ながら行先階登録ボタン１０２Ｃから該当階のボタンを押して利用出入口方向と行先階とを登録する。
【０００５】
このように、従来の複数方向出入口エレベータでは、ある階でエレベータかごを呼び、エレベータを利用して目的階に移動し、相応しい側の出入口から出ようとする場合、特に、到着したエレベータかごに乗り込むすとすぐに、自分の行先階と利用する側の出入口とを瞬時に判断してかご操作盤１０２の相応しい行先階登録ボタン１０２Ｃを選択して操作することが要求されるため、まごつくことがあり、利用しにくいものであった。
【発明の開示】
【発明が解決しようとする課題】
【０００６】
本発明は、このような従来の技術的課題に鑑みてなされたもので、複数方向出入口エレベータでの行先階登録操作をしやすくする複数方向出入口エレベータの行先階表示システムを提供することを目的とする。
【課題を解決するための手段】
【０００７】
本発明は、エレベータ乗場に設置された、昇降方向と複数の出入口方向とを共に区別する乗場呼び登録ボタンを備えた乗場操作盤と、乗りかご内に設置された、行先階と共に出入口方向を指定する行先階登録ボタンを備えたかご操作盤と、前記乗場呼び登録ボタンによる乗場呼びに応答して乗りかごが呼び発生階に到着し、ドア開動作したときに、前記行先階登録ボタンのうち登録候補となる行先階ボタンを点滅させる行先階表示制御手段とを備えたことを特徴とする複数方向出入口エレベータの行先階表示システムを特徴とする。
【０００８】
上記発明の複数方向出入口エレベータの行先階表示制御システムにおいて、前記行先階表示制御手段は、前記乗場呼び登録ボタンによる乗場呼びに応答して乗りかごが呼び発生階に到着し、ドア開動作したときに、前記行先階登録ボタンのうち登録候補となる行先階ボタンを点滅させる代りに、通常の行先階登録表示のための発光色若しくは発光輝度と異なる発光色若しくは発光輝度にて連続点灯させるものとすることができる。
【０００９】
また上記発明の複数方向エレベータの行先階表示システムにおいて、前記乗場操作盤は、昇降方向と複数の出入口方向とを共に区別する乗場呼び登録ボタンに代えて、複数の出入口方向それぞれについて昇降方向に指示するトグルスイッチを備えたものとすることができる。
【００１０】
さらに上記発明の複数方向出入口エレベータの行先階表示システムにおいて、前記乗場操作盤は、昇降方向と複数の出入口方向とを共に区別する乗場呼び登録ボタンに代えて、複数の出入口方向それぞれについて昇降方向に指示する波形スイッチを備えたものとすることができる。
【発明の効果】
【００１１】
本発明によれば、エレベータ利用者に対して昇降方向と出入口方向とを乗場操作盤にて指定して乗場呼び操作させることができ、また、到着したエレベータかごに乗り込んで行先階と出入口方向を指定する際にはかご操作盤の表示を見て出入口毎に行先登録可能階を確認させることができ、希望行先階と出入口方向の登録操作を簡単、かつ正しく行わせるようにすることができる。
【発明を実施するための最良の形態】
【００１２】
以下、本発明の実施の形態を図に基づいて詳説する。
【００１３】
（第１の実施の形態）図１は本発明の１つの実施の形態の複数方向出入口エレベータの行先階表示システムを示している。本実施の形態は、各階のエレベータ乗場（正面側出入口、背面側出入口両方存在する階ではその両方のエレベータ乗場）に設置されている乗場呼び登録操作盤１と、エレベータかご２内に設置されているかご操作盤３と、これらの操作盤１，３に対する操作入力を受付け、またボタン内ランプの点灯を制御する行先階表示制御装置４から構成されている。
【００１４】
乗場呼び登録操作盤１は、表示板６上に乗場名の銘板１Ａ、正面側昇方向登録ボタン１０ＵＰ、正面側降方向登録ボタン１０ＤＮ、背面側昇方向登録ボタン１１ＵＰ、背面側降方向登録ボタン１１ＤＮが設置された構成である。
【００１５】
エレベータかご２内に設置されているかご操作盤３は、表示板７上に正面出口、背面出口を識別する銘板３Ａ，３Ｂ、行先階登録ボタン３Ｃが設置された構成である。尚、本実施の形態では、従来例と同様に、正面側、背面側それぞれの実際に出入口が設定されている階を行先階とするボタンだけが設置されている。
【００１６】
尚、乗場呼び登録操作盤１、かご操作盤３それぞれの操作ボタンについては、その裏側内部にランプが配置されていて、呼び登録を受付けたボタンのランプを点灯させ、また行先候補階となるボタンのランプを点滅させることができる。
【００１７】
これらの乗場呼び登録操作盤１、かご操作盤３は行先階表示制御装置４に接続されている。この行先階表示制御装置４は、各階の乗場呼び登録操作盤１からの乗場呼び登録操作信号、かご操作盤３からの行先階登録操作信号を受信してエレベータ制御装置（図示せず）にそれらの信号を転送する。行先階表示制御装置４はまた、エレベータ制御装置から乗場呼び登録、行先階登録の完了信号を受信して、乗場呼び登録完了を知らせるべく該当乗場呼びボタンを点灯させ、また、かご操作盤３の行先指定可能階の行先階ボタンを点滅点灯させ、さらに、行先階登録の完了信号を受信して該当行先階ボタンを点灯させる行先階表示制御を実施する。
【００１８】
次に、上記構成の複数方向出入口エレベータの行先階表示制御システムによる行先階表示動作を、図２のフローチャートを用いて説明する。ここでは、利用者が２階正面側のエレベータ乗場にいて４階まで昇り、背面側出入口を利用して降りようとする場合を例にして本実施の形態の複数方向出入口エレベータの行先階表示制御システムの動作を説明する。
【００１９】
利用者は、２階正面側のエレベータ乗場にてエレベータを利用して４階まで昇り、背面出入口から降りようとしているので、乗場操作盤１に対して背面昇方向乗場呼びボタン１１ＵＰを押す（ステップＳ１）。これに対して、行先階表示制御装置４は２階正面乗場で、背面昇方向乗場呼びが発生したと判断してその乗場呼び信号をエレベータ制御装置（図示せず）に知らせる（ステップＳ２）。そしてエレベータ制御装置からこの乗場呼び登録完了の信号を受信すれば、２階正面の乗場操作盤１の背面昇方向乗場呼びボタン１１ＵＰを点灯させて受付け完了を知らせる（ステップＳ３，Ｓ４）。
【００２０】
続いて、エレベータ制御装置によりエレベータかご２が２階に配車され、正面側出入口のエレベータドアが開動作する（ステップＳ５）。このときに、行先階表示制御装置４は、かご２内のかご操作盤３に対して、現在停止階から利用可能な行先階ボタンを点滅点灯させる（ステップＳ６）。本事例では、２階にエレベータかご２が停止していて、乗場呼び登録が背面昇方向乗場呼びであるので、利用可能な行先階ボタン３Ｃは４階の背面側行先階ボタンだけである。そこで、行先階表示制御装置４はかご操作盤３に対して、背面側４階の行先階ボタンが有効操作ボタンであることを知らせるために点滅させる。
【００２１】
これによって、利用者は、本事例の場合、２階の正面乗場で背面昇方向乗場呼びボタン１１ＵＰを操作し、エレベータかご２が到着するのを待って乗り込むと、かご操作盤３には背面４階の行先階ボタン１１ＵＰのみが点滅しているのを見ることができ、これを操作することで背面４階行のかご呼び登録を行うことができることになる。そして行先階の登録が完了すれば、該当階の行先階ボタンを連続点灯させて登録された行先階を利用者に知らせる（ステップＳ７〜Ｓ１０）。
【００２２】
この後、行先階に到着すれば、行先登録ボタンのランプを消灯する（ステップＳ１１，Ｓ１２）。
【００２３】
また、事例として同じく２階正面乗場に居る利用者が４階正面側へ移動するためにエレベータを利用する場合、利用者は２階正面乗場の乗場操作盤１に対して正面昇方向ボタン１１０ＵＰを操作することになる。そしてその場合、エレベータかご２が２階に停止して正面側出入口が開き、利用者がエレベータかご２に乗り込むと、かご操作盤３には有効操作ボタンとして正面３階と正面４階の行先階ボタン１０ＵＰが同時に点滅しており、利用者は３階あるいは４階を行先階として選択できることを知ることができる。
【００２４】
本実施の形態によれば、利用者がエレベータ乗場階にて呼び登録する時に複数方向出入口の使用出入口側と昇降方向とを登録することができ、また、エレベータかごが到着して乗り込み、行先階登録をする際に利用者に乗場呼びの時に登録した出入口側で行先階登録が有効な階を一見して理解できる態様で知らせることができ、複数方向出入口エレベータの利用者に利便性を与えることができる。
【００２５】
尚、行先登録有効階を知らせるために上記実施の形態では、有効階の行先階登録ボタンを点滅させて表示するようにしたが、これに代えて、図３のフローチャートに示すように、通常の登録行先階の表示のための連続点灯色と異なる点灯色にて連続点灯させたり（ステップＳ６Ａ）、点灯色を変えると共に点滅させたりしてもよい。尚、図３のフローチャートにおいて、第１の実施の形態と共通する処理ステップには同一の符号を付して示してある。
【００２６】
（第２の実施の形態）図４に、本発明の第２の実施の形態の複数方向出入口エレベータの行先階表示制御装置で採用する乗場操作盤１−１を示している。この乗場操作盤１−１は、表示板６−１上に乗場名の銘板１Ａ、正面側乗場呼び登録トグルスイッチ１２、背面側乗場呼び登録トグルスイッチ１３、そしてこれらのトグルスイッチ１２，１３の役割を識別させるための正面側表示銘板１４、背面側表示銘板１５が設置された構成である。そして、正面側表示銘板１４、背面側表示銘板１５のそれぞれには、昇方向矢印１６ＵＰ，１７ＵＰ、降方向矢印１６ＤＮ，１７ＤＮが設けてあり、これらはランプにて個別に点灯する。尚、本実施の形態におけるかご操作盤３、行先階表示制御装置４の構成は第１の実施の形態と共通する。
【００２７】
本実施の形態では、第１の実施の形態と同様の事例の場合、利用者が２階正面側のエレベータ乗場にて乗場操作盤１−１の背面側乗場呼び登録トグルスイッチ１３を昇方向に操作する。これに対して、行先階表示制御装置４は２階正面乗場で、背面昇方向乗場呼びが発生したと判断してその乗場呼び信号をエレベータ制御装置に知らせる。そしてエレベータ制御装置からこの乗場呼び登録完了の信号を受信すれば、２階正面の乗場操作盤１−１の背面側表示銘板１５の背面昇方向矢印１７ＵＰを点灯させて受付け完了を知らせる。
【００２８】
続いて、エレベータ制御装置によりエレベータかご２が２階に配車され、正面側出入口のエレベータドアが開動作する。そして、行先階表示制御装置４は、第１の実施の形態と同様に、かご２内のかご操作盤３に対して、現在停止階から利用可能な行先階ボタンを点灯させる。本事例では、２階にエレベータかご２が停止していて、乗場呼び登録が背面昇方向乗場呼びであるので、利用可能な行先階ボタン３Ｃは４階の背面側行先階ボタンだけである。そこで、行先階表示制御装置４はかご操作盤３に対して、背面側４階の行先階ボタンが有効操作ボタンであることを知らせるために点滅させる。これによって、利用者は、本事例の場合、２階の正面乗場で背面昇方向乗場呼びボタン１１ＵＰを操作し、エレベータかご２が到着するのを待って乗り込むと、かご操作盤３には背面側４階の行先階ボタンのみが点滅しているのを見ることができ、これを操作することで背面側４階行のかご呼び登録を行うことができることになる。そして行先階の登録が完了すれば、該当階の行先階ボタンを連続点灯させて登録された行先階を利用者に知らせる。
【００２９】
本実施の形態によっても、第１の実施の形態と同様に、利用者がエレベータ乗場階にて呼び登録する時に複数方向出入口の使用出入口側と昇降方向とを登録することができ、また、エレベータかごが到着して乗り込み、行先階登録をする際に利用者に乗場呼びの時に登録した出入口側で行先階登録が有効な階を一見して理解できる態様で知らせることができ、複数方向出入口エレベータの利用者に利便性を与えることができる。
【００３０】
（第３の実施の形態）図５に、本発明の第３の実施の形態の複数方向出入口エレベータの行先階表示制御装置で採用する乗場操作盤１−２を示している。この乗場操作盤１−２は、表示板６−２上に乗場名の銘板１Ａ、正面側乗場呼び登録波形スイッチ１８、背面側乗場呼び登録波形スイッチ１９、そしてこれらの波形スイッチ１８，１９の役割を識別させるための正面側表示銘板２０、背面側表示銘板２１が設置された構成である。そして、正面側表示銘板２０、背面側表示銘板２１のそれぞれには、昇方向矢印２２ＵＰ，２３ＵＰ、降方向矢印２２ＤＮ，２３ＤＮが設けてあり、これらはランプにて個別に点灯する。尚、本実施の形態におけるかご操作盤３、行先階表示制御装置４の構成は第１の実施の形態と共通する。
【００３１】
本実施の形態では、第１の実施の形態と同様の事例の場合、利用者が２階正面側のエレベータ乗場にて乗場操作盤１−２の背面側乗場呼び登録波形スイッチ１８を昇方向に操作する。これに対して、行先階表示制御装置４は２階正面乗場で、背面昇方向乗場呼びが発生したと判断してその乗場呼び信号をエレベータ制御装置に知らせる。そしてエレベータ制御装置からこの乗場呼び登録完了の信号を受信すれば、２階正面の乗場操作盤１−２の背面側表示銘板２１の背面昇方向矢印２３ＵＰを点灯させて受付け完了を知らせる。
【００３２】
続いて、エレベータ制御装置によりエレベータかご２が２階に配車され、正面側出入口のエレベータドアが開動作する。そして、行先階表示制御装置４は、第１の実施の形態と同様に、かご２内のかご操作盤３に対して、現在停止階から利用可能な行先階ボタンである４階の背面側行先階ボタンを有効操作ボタンであることを知らせるために点滅させる。これによって、利用者は、エレベータかご２が２階に到着するのを待って乗り込むと、かご操作盤３には背面側４階の行先階ボタンのみが点滅しているのを見ることができ、これを操作することで背面側４階行のかご呼び登録を行うことができることになる。そして行先階の登録が完了すれば、該当階の行先階ボタンを連続点灯させて登録された行先階を利用者に知らせる。
【００３３】
本実施の形態によっても、第１の実施の形態と同様に、利用者がエレベータ乗場階にて呼び登録する時に複数方向出入口の使用出入口側と昇降方向とを登録することができ、また、エレベータかごが到着して乗り込み、行先階登録をする際に利用者に乗場呼びの時に登録した出入口側で行先階登録が有効な階を一見して理解できる態様で知らせることができ、複数方向出入口エレベータの利用者に利便性を与えることができる。
【図面の簡単な説明】
【００３４】
【図１】本発明の第１の実施の形態の複数方向出入口エレベータの行先階表示制御システムのブロック図。
【図２】上記実施の形態における行先階表示制御装置による処理動作のフローチャート。
【図３】上記実施の形態における行先階表示制御装置による別の処理動作のフローチャート。
【図４】本発明の第２の実施の形態における乗場操作盤の正面図。
【図５】本発明の第３の実施の形態における乗場操作盤の正面図。
【図６】従来の乗場呼び登録操作盤の正面図。
【図７】従来のかご操作盤の正面図。
【符号の説明】
【００３５】
１，１−１，１−２  乗場操作盤
１Ａ  乗場表示銘板
２  エレベータかご
３  かご操作盤
３Ａ  正面側表示銘板
３Ｂ  背面側表示銘板
３Ｃ  行先階ボタン
４  行先階表示制御装置
６，６−１，６−２  表示板
７  表示板
１０ＵＰ  正面昇方向乗場呼びボタン
１０ＤＮ  正面降方向乗場呼びボタン
１１ＵＰ  背面昇方向乗場呼びボタン
１１ＤＮ  背面降方向乗場呼びボタン
１２  正面乗場呼びトグルスイッチ
１３  背面乗場呼びトグルスイッチ
１４  正面側表示銘板
１５  背面側表示銘板
１６ＵＰ  正面側昇方向矢印
１６ＤＮ  正面側降方向矢印
１７ＵＰ  背面側昇方向矢印
１７ＤＮ  背面側降方向矢印
１８  正面乗場呼び波形スイッチ
１９  背面乗場呼び波形スイッチ
２０  正面側表示銘板
２１  背面側表示銘板
２２ＵＰ  正面側昇方向矢印
２２ＤＮ  正面側降方向矢印
２３ＵＰ  背面側昇方向矢印
２３ＤＮ  背面側降方向矢印
【図１】
2007302469.tif 000003
【図２】
2007302469.tif 000004
【図３】
2007302469.tif 000005
【図４】
2007302469.tif 000006
【図５】
2007302469.tif 000007
【図６】
2007302469.tif 000008
【図７】
2007302469.tif 000009